(57)【要約】【課題】ステープル処理、パンチ処理などの後処理を指示された画像データを受信した際に、自身でその後処理を行えなくても、後処理の機能を有する他の装置へ画像データを転送して、指示に従った後処理を実現できる通信装置を提供する。【解決手段】通信装置１は、他の装置からＰＳＴＮまたはＬＡＮ１０を介して後処理（ステープル処理、パンチ処理）が必要な画像データを受信した場合、その送信元の装置が内部の転送先テーブルに登録されているときには、受信した画像データを自身にて記録せず、転送先テーブルに登録されている、後処理を行い得る所定の転送先の装置へＰＳＴＮまたはＬＡＮ１０を介して受信した画像データを転送し、その送信元の装置が転送先テーブルに登録されていないときには、受信した画像データに応じた画像を自身にてプリントアウトする。【選択図】　　　　図１
2004048188.tif 000002
【特許請求の範囲】
【請求項１】
受信した画像データの他装置への転送が可能な通信装置において、記録処理と該記録処理にて得られる記録済用紙に対する後処理とが指示された画像データを受信する受信手段と、該受信手段にて受信した前記画像データを、前記記録処理及び前記後処理が可能な装置へ転送する転送手段とを備えることを特徴とする通信装置。
【請求項２】
前記画像データの転送先を、前記画像データの送信元からの指示に基づいて決定する手段を備えることを特徴とする請求項１記載の通信装置。
【請求項３】
画像データの送信元と転送先の装置とを関連付けた関連情報を記憶しておく記憶手段と、前記受信手段で受信した画像データの送信元が前記関連情報に含まれているか否かを判断する手段とを備え、含まれていると判断した場合、前記転送手段は、前記関連情報に基づく転送先の装置へ受信した画像データを転送するように構成したことを特徴とする請求項１記載の通信装置。
【発明の詳細な説明】
【０００１】
【発明の属する技術分野】
本発明は、画像データを他の装置へ転送する転送機能付きの通信装置に関し、特に、記録済用紙に対するステープル処理、パンチ処理などの後処理を転送機能を利用して行えるようにした通信装置に関する。
【０００２】
【従来の技術】
ＬＡＮ（Ｌｏｃａｌ　Ａｒｅａ　Ｎｅｔｗｏｒｋ）等の通信網の発展に伴って、ファクシミリ装置、ファクシミリ複合装置、複写装置、記録装置などを１つのＬＡＮに接続させ、各装置間で画像データの転送を自由に行えるようにした情報ネットワークが構築される。
【０００３】
ところで、印字された記録済用紙をステープルしたり、パンチしたりすることは、ユーザにとって時間がかかる面倒な作業である。よって、このようなステープル処理、パンチ処理は、記録処理に連続して装置側で行ってほしいというユーザの要望がある。近年では、これらのステープル機能、パンチ機能を備え付けた複写装置は一般的に見られるようになったが、ファクシミリ装置ではそのような機能を備えているものは少ない。
【０００４】
【発明が解決しようとする課題】
よって、ステープル機能、パンチ機能などの後処理機能を有さないファクシミリ装置にあっては、記録処理と共にこれらの後処理が指示された画像データを受信した場合、画像データの記録処理は行えるが、指示された後処理は実行できないという問題がある。
【０００５】
本発明は斯かる事情に鑑みてなされたものであり、ステープル処理、パンチ処理などの後処理を指示された場合、受信した画像データを自身で記録せずに、これらの後処理の機能を有する他の装置へ画像データを転送することにより、指示に従った後処理を実現できる通信装置を提供することを目的とする。
【０００６】
【課題を解決するための手段】
第１発明に係る通信装置は、受信した画像データの他装置への転送が可能な通信装置において、記録処理と該記録処理にて得られる記録済用紙に対する後処理とが指示された画像データを受信する受信手段と、該受信手段にて受信した前記画像データを、前記記録処理及び前記後処理が可能な装置へ転送する転送手段とを備えることを特徴とする。
【０００７】
第１発明の通信装置にあっては、記録処理が指示された画像データを受信した際に、その画像データについて記録済用紙に対する後処理の指示もなされている場合、その画像データを自身では記録しないで、この後処理が可能な他の装置へ画像データを転送する。そして、転送された先の他の装置にて記録処理及び後処理が行われる。よって、このような転送により、指示された後処理が確実に実行される。
【０００８】
第２発明に係る通信装置は、第１発明において、前記画像データの転送先を、前記画像データの送信元からの指示に基づいて決定する手段を備えることを特徴とする。
【０００９】
第２発明の通信装置にあっては、記録処理及び後処理が指示された画像データを受信した際に、同時に指定される後処理が可能な転送先の装置へ受信した画像データを転送する。そして、転送先の装置にて記録処理及び後処理が行われる。よって、このような転送により、画像データの送信元から指定された所望の装置で後処理が確実に実行される。
【００１０】
第３発明に係る通信装置は、第１発明において、画像データの送信元と転送先の装置とを関連付けた関連情報を記憶しておく記憶手段と、前記受信手段で受信した画像データの送信元が前記関連情報に含まれているか否かを判断する手段とを備え、含まれていると判断した場合、前記転送手段は、前記関連情報に基づく転送先の装置へ受信した画像データを転送するように構成したことを特徴とする。
【００１１】
第３発明の通信装置にあっては、画像データの送信元と転送先の装置とを関連付けた関連情報を予め記憶しておき、記憶しておいた関連情報に受信した画像データの送信元が含まれている場合に、関連情報に基づく転送先の装置へ受信した画像データを転送する。よって、後処理を行える所望の装置へ画像データが自動的に転送されて、後処理が確実に実行される。
【００１２】
【発明の実施の形態】
以下、本発明をその実施の形態を示す図面を参照して具体的に説明する。
図１は、本発明に係る通信装置を用いる通信網システムの構成を示す模式図である。図１において、１０は通信網としてのＬＡＮを示し、ＬＡＮ１０には、原稿を読み取って画像データを得る読取装置としての機能、読み取った画像データに応じた画像を記録する記録装置としての機能、及び、読み取った画像データをファクシミリ送信する送信装置としての機能を併せ持ったファクシミリ複合装置である本発明の転送機能付きの通信装置１が接続されている。この通信装置１は上述した機能を有してはいるが、記録処理後の後処理機能であるステープル機能、パンチ機能は有していない。
【００１３】
また、ＬＡＮ１０には、この通信装置１以外に、ファクシミリ装置２、ファクシミリ複合装置３、複写装置４、記録装置５が接続されていて、情報ネットワークが構築されており、各装置間で画像データの転送を自由に行えるようになっている。これらのファクシミリ装置２、ファクシミリ複合装置３、複写装置４及び記録装置５は、記録処理機能に加えて、後処理機能であるステープル機能、パンチ機能を有している。
【００１４】
通信装置１は、公衆電話回線網（ＰＳＴＮ：Ｐｕｂｌｉｃ　Ｓｗｉｔｃｈｅｄ　Ｔｅｌｅｐｈｏｎｅ　Ｎｅｔｗｏｒｋ）によって複数のファクシミリ装置６ａ，６ｂ、ファクシミリ複合装置７ａ，７ｂと接続される。これらの装置の中で、ファクシミリ装置６ａ及びファクシミリ複合装置７ａは、記録処理機能は有するが、ステープル機能、パンチ機能を有しておらず、一方、ファクシミリ装置６ｂ及びファクシミリ複合装置７ｂは、記録処理機能に加えてステープル機能、パンチ機能を有している。
【００１５】
このような通信網システムにあって、通信装置１は、他の装置から画像データを受信した場合、その画像データに対して記録処理の指示のみを受信したときには受信した画像データを自身にて用紙に記録し、一方、その画像データに対して記録処理及び後処理（ステープル処理、パンチ処理）の指示を受信したときには、受信した画像データを自身で記録せずに、この後処理を行い得る他の装置へ受信した画像データを転送する。
【００１６】
（第１実施の形態）
図２は、本発明の第１実施の形態に係る通信装置１の構成を示すブロック図である。通信装置１は、主制御部１１，読取部１２，記録部１３，表示部１４，操作部１５，符号化・復号化部１６，ＲＯＭ１７，ＲＡＭ１８，画像メモリ１９，モデム２０，ＮＣＵ（Ｎｅｔｗｏｒｋ　Ｃｏｎｔｒｏｌ　Ｕｎｉｔ）２１，ＬＡＮインタフェース２２等を備えている。
【００１７】
主制御部１１は、具体的にはＣＰＵで構成されており、バス２３を介して通信装置１の上述したようなハードウェア各部と接続されていて、それらを制御すると共に、ＲＯＭ１７に格納されたコンピュータプログラムに従って、種々のソフトウェア的機能を実行する。
【００１８】
読取部１２は、例えばＣＣＤを利用したスキャナであって、読み取った原稿の画像データを出力する。記録部１３は、電子写真方式のプリンタ装置であって、読取部１２にて読み取った画像データ、各装置からＰＳＴＮまたはＬＡＮ１０を介して送られる画像データなどに応じた画像をハードコピーとしてプリントアウトする。
【００１９】
表示部１４は、液晶表示装置またはＣＲＴディスプレイ等の表示装置であり、通信装置１の動作状態を表示したり、記録または送信すべく読取部２で読み取った画像データ、各装置からＰＳＴＮまたはＬＡＮ１０を介して受信した画像データなどの表示を行う。操作部１５は、通信装置１を操作するために必要な各種のキーを備えている。なお、表示部１４をタッチパネル方式とすることにより、操作部１５の各種のキーの内の一部または全部を代用することも可能である。符号化・復号化部１６は、画像データを圧縮符号化すると共に、圧縮符号化されているデータを元の画像データに復号化する。
【００２０】
ＲＯＭ１７は、通信装置１の動作に必要な種々のソフトウェアのプログラムを予め格納している。ＲＡＭ１８は、ＳＲＡＭまたはフラッシュメモリ等で構成され、ソフトウェアの実行時に発生する一時的なデータを記憶する。画像メモリ１９は、ＤＲＡＭ等で構成され、圧縮符号化された画像データを格納する。
【００２１】
モデム２０は、バス２３に接続されており、ファクシミリ通信が可能なファクスモデムから構成されている。また、モデム２０は、同様にバス２３に接続されたＮＣＵ２１と直接的に接続されている。ＮＣＵ２１は、ＰＳＴＮの閉結及び開放の動作を行うハードウェアであり、必要に応じてモデム２０を電話回線と接続する。ＬＡＮインタフェース２２は、回線ＬによりＬＡＮ１０に接続され、ＬＡＮ１０に接続された各装置との間でデータのやりとりを行う。
【００２２】
本発明の第１実施の形態に係る通信装置１は、以上の如きハードウェア構成を有しており、他の装置からＰＳＴＮまたはＬＡＮ１０を介して画像データを受信した場合に、記録処理の指示のみを送信元の装置から受信した際には、記録部１３にてその画像データに応じた画像をプリントアウトし、一方、記録処理の指示に加えて後処理（ステープル処理、パンチ処理）の指示を送信元の装置から受信した際には、受信した画像データを自身の記録部１３にて記録せず、送信元の装置から指定される他の装置へＰＳＴＮまたはＬＡＮ１０を介して受信した画像データを転送する。
【００２３】
次に、動作について説明する。図３，図４は、第１実施の形態の通信装置１の処理動作の手順を示すフローチャートである。
【００２４】
主制御部１１は、ＰＳＴＮまたはＬＡＮ１０を介して、送信元ファクシミリ番号（ＩＤ情報）または送信元名情報（ＴＴＩ情報）を受信したことを検知した場合（ステップＳ１：ＹＥＳ）、後処理（ステープル処理、パンチ処理）の指示が送信元の装置からなされているか否かを判断する（ステップＳ２）。なお、この後処理の指示の有無は、送信元の装置から送られてくるディジタル信号（ＤＣＳ，ＮＳＳなど）によって判断する。
【００２５】
後処理の指示がなされていない場合に（Ｓ２：ＮＯ）、主制御部１１は、送信元の装置からＰＳＴＮまたはＬＡＮ１０を介して画像データを受信し（ステップＳ１３）、受信した画像データを記録部１３にてプリントアウトさせる（ステップＳ１４）。そして、主制御部１１は、送信元の装置からの全ての画像データの受信及びプリントアウトを完了したか否か判断し（ステップＳ１５）、完了した場合には（Ｓ１５：ＹＥＳ）動作を終了し、完了していない場合には（Ｓ１５：ＮＯ）Ｓ１３，Ｓ１４の処理を繰り返す。
【００２６】
一方、送信元の装置から後処理の指示がなされている場合に（Ｓ２：ＹＥＳ）、主制御部１１は、その送信元の装置から指示される転送先の装置がＬＡＮ１０に接続されている装置であるか否かを判断する（ステップＳ３）。
【００２７】
転送先がＬＡＮ１０に接続されている装置（図１に示すファクシミリ装置２、ファクシミリ複合装置３、複写装置４、記録装置５の何れか）である場合（Ｓ３：ＹＥＳ）、主制御部１１は、送信元の装置からＰＳＴＮまたはＬＡＮ１０を介して画像データを受信し（ステップＳ４）、受信した画像データをＴＩＦＦデータに変換して（ステップＳ５）画像メモリ１９に格納させる（ステップＳ６）。そして、主制御部１１は、送信元の装置からの全ての画像データの受信、変換及び格納を完了したか否か判断し（ステップＳ７）、完了していない場合には（Ｓ７：ＮＯ）、Ｓ４〜Ｓ６の処理を繰り返す。送信元の装置からの全ての画像データの受信、変換及び格納を完了した場合に（Ｓ７：ＹＥＳ）、主制御部１１は、格納したＴＩＦＦデータをＦＴＰ、Ｐｏｒｔ　９１００　またはＬＰＲで、ＬＡＮ１０を介して、送信元の装置から指定されたＩＰアドレスへ転送する（ステップＳ８）。
【００２８】
一方、　転送先がＬＡＮ１０に接続されていない装置（図１に示すファクシミリ装置６ｂ，ファクシミリ複合装置７ｂの何れか）である場合（Ｓ３：ＮＯ）、主制御部１１は、送信元の装置からＰＳＴＮまたはＬＡＮ１０を介して画像データを受信し（ステップＳ９）、受信した画像データを画像メモリ１９に格納させる（ステップＳ１０）。そして、主制御部１１は、送信元の装置からの全ての画像データの受信及び格納を完了したか否か判断し（ステップＳ１１）、完了していない場合には（Ｓ１１：ＮＯ）、Ｓ９，Ｓ１０の処理を繰り返す。送信元の装置からの全ての画像データの受信及び格納を完了した場合に（Ｓ１１：ＹＥＳ）、主制御部１１は、格納した画像データを、ＰＳＴＮを介して、送信元の装置から指定された転送先の装置へ転送する（ステップＳ１２）。
【００２９】
このように第１実施の形態の通信装置１では、ステープル処理、パンチ処理などの後処理が指示された画像データを受信した場合、自身で記録せずに、これらの機能を有する指定された他の装置へ画像データを転送するようにしており、画像データの送信元から指示された所望の後処理を確実に実行できる。
【００３０】
（第２実施の形態）
図５は、本発明の第２実施の形態に係る通信装置１の構成を示すブロック図である。図５において、図２と同一部分には同一番号を付してそれらの説明を省略する。第２実施の形態に係る通信装置１のＲＡＭ１８は、画像データの送信元を特定する送信元ファクシミリ番号（ＩＤ情報）または送信元名情報（ＴＴＩ情報）と、後処理（ステープル処理、パンチ処理）を行い得る転送先の装置との対応付けが登録されている転送先テーブル１８ａを有する。この転送テーブル１８ａの登録内容は、操作部１５を介したユーザの操作入力によって、通信装置１側で任意に設定できる。
【００３１】
第２実施の形態に係る通信装置１は、他の装置からＰＳＴＮまたはＬＡＮ１０を介して画像データを受信した場合に、その送信元の装置が転送先テーブル１８ａに登録されているときには、受信した画像データを自身の記録部１３にて記録せず、その送信元の装置に対応して転送先テーブル１８ａに登録されている所定の転送先の装置へＰＳＴＮまたはＬＡＮ１０を介して受信した画像データを転送し、その送信元の装置が転送先テーブル１８ａに登録されていないときには、受信した画像データに応じた画像を記録部１３にてプリントアウトする。
【００３２】
次に、動作について説明する。図６は、第２実施の形態の通信装置１の処理動作（転送先テーブル１８ａの登録処理）の手順を示すフローチャートである。
【００３３】
主制御部１１は、操作部１５を介して、送信元ファクシミリ番号（ＩＤ情報）または送信元名情報（ＴＴＩ情報）のユーザ入力を受け付ける（ステップＳ２１）。受け付けた送信元情報（ＩＤ情報、ＴＴＩ情報）をＲＡＭ１８の転送先テーブル１８ａに記憶する（ステップＳ２２）。続いて、主制御部１１は、操作部１５を介して、この送信元情報に対応する転送先のファクシミリ番号のユーザ入力を受け付ける（ステップＳ２３）。受け付けた転送先のファクシミリ番号を転送先テーブル１８ａに記憶する（ステップＳ２４）。
【００３４】
主制御部１１は、受け付けられた転送先の装置がＬＡＮ１０に接続されているか否かを判断する（ステップＳ２５）。接続されていない場合には（Ｓ２５：ＮＯ）、動作がステップＳ２８へ進む。一方、転送先の装置がＬＡＮ１０に接続されている場合に（Ｓ２５：ＹＥＳ）、主制御部１１は、操作部１５を介して、その転送先の装置のＩＰアドレスまたはサーバ名のユーザ入力を受け付ける（ステップＳ２６）。受け付けた転送先の装置のＩＰアドレスまたはサーバ名を転送先テーブル１８ａに記憶する（ステップＳ２７）。
【００３５】
主制御部１１は、転送先テーブル１８ａの登録を完了するか否かを判断し（Ｓ２８）、完了する場合には（Ｓ２８：ＹＥＳ）動作が終了し、完了しない場合には（Ｓ２８：ＮＯ）動作がＳ２１に戻って、Ｓ２１〜Ｓ２７の処理を繰り返す。
【００３６】
図７，図８は、第２実施の形態の通信装置１の処理動作（画像データの転送／記録処理）の手順を示すフローチャートである。
【００３７】
主制御部１１は、ＰＳＴＮまたはＬＡＮ１０を介して、送信元ファクシミリ番号（ＩＤ情報）または送信元名情報（ＴＴＩ情報）を受信したことを検知した場合（ステップＳ３１：ＹＥＳ）、受信したその送信元情報（ＩＤ情報、ＴＴＩ情報）が転送先テーブル１８ａに登録されているか否かを判断する（ステップＳ３２）。
【００３８】
登録されていない場合に（Ｓ３２：ＮＯ）、主制御部１１は、送信元の装置からＰＳＴＮまたはＬＡＮ１０を介して画像データを受信し（ステップＳ４３）、受信した画像データを記録部１３にてプリントアウトさせる（ステップＳ４４）。そして、主制御部１１は、送信元の装置からの全ての画像データの受信及びプリントアウトを完了したか否か判断し（ステップＳ４５）、完了した場合には（Ｓ４５：ＹＥＳ）動作を終了し、完了していない場合には（Ｓ４５：ＮＯ）Ｓ４３，Ｓ４４の処理を繰り返す。
【００３９】
一方、送信元情報（送信元の装置を示すＩＤ情報、ＴＴＩ情報）が転送先テーブル１８ａに登録されている場合に（Ｓ３２：ＹＥＳ）、主制御部１１は、転送先テーブル１８ａの登録内容を参照して、その送信元の装置に対応する転送先の装置がＬＡＮ１０に接続されている装置であるか否かを判断する（ステップＳ３３）。
【００４０】
転送先がＬＡＮ１０に接続されている装置（図１に示すファクシミリ装置２、ファクシミリ複合装置３、複写装置４、記録装置５の何れか）である場合（Ｓ３３：ＹＥＳ）、主制御部１１は、送信元の装置からＰＳＴＮまたはＬＡＮ１０を介して画像データを受信し（ステップＳ３４）、受信した画像データをＴＩＦＦデータに変換して（ステップＳ３５）画像メモリ１９に格納させる（ステップＳ３６）。そして、主制御部１１は、送信元の装置からの全ての画像データの受信、変換及び格納を完了したか否か判断し（ステップＳ３７）、完了していない場合には（Ｓ３７：ＮＯ）、Ｓ３４〜Ｓ３６の処理を繰り返す。送信元の装置からの全ての画像データの受信、変換及び格納を完了した場合に（Ｓ３７：ＹＥＳ）、主制御部１１は、格納したＴＩＦＦデータをＦＴＰ、Ｐｏｒｔ　９１００　またはＬＰＲで、ＬＡＮ１０を介して、登録されているＩＰアドレスへ転送する（ステップＳ３８）。
【００４１】
一方、　転送先がＬＡＮ１０に接続されていない装置（図１に示すファクシミリ装置６ｂ，ファクシミリ複合装置７ｂの何れか）である場合（Ｓ３３：ＮＯ）、主制御部１１は、送信元の装置からＰＳＴＮまたはＬＡＮ１０を介して画像データを受信し（ステップＳ３９）、受信した画像データを画像メモリ１９に格納させる（ステップＳ４０）。そして、主制御部１１は、送信元の装置からの全ての画像データの受信及び格納を完了したか否か判断し（ステップＳ４１）、完了していない場合には（Ｓ４１：ＮＯ）、Ｓ３９，Ｓ４０の処理を繰り返す。送信元の装置からの全ての画像データの受信及び格納を完了した場合に（Ｓ４１：ＹＥＳ）、主制御部１１は、格納した画像データを、ＰＳＴＮを介して、登録されている電話番号へ転送する（ステップＳ４２）。
【００４２】
このように第２実施の形態の通信装置１では、ステープル処理、パンチ処理などの後処理を行うべき画像データを受信した際に、自身で記録せずに、その送信元の装置に対応する、これらの処理を行える所定の装置へ画像データを転送するようにしており、画像データの送信元から指示された所望の後処理を確実に実行できる。
【００４３】
【発明の効果】以上のように本発明では、ステープル処理、パンチ処理などの後処理が指示された画像データを受信した際に、自身で記録せずに、これらの後処理の機能を有する他の装置へ画像データを転送するようにしたので、自身が後処理の機能を有していなくても、指示に従った後処理を実現することができる。
【００４４】
また本発明では、画像データの送信元の装置から指定される転送先の装置へ、受信した画像データを転送するようにしたので、送信元の指定通りの転送先の装置にて後処理を確実に施行することができる。
【００４５】
更に本発明では、予め登録された関連情報に基づき、後処理が実行されるべき画像データを所定の転送先の装置へ自動的に転送するようにしたので、特別なユーザ入力を必要とせずに、送信元の指示通りの後処理を確実に施行することができる。
【図面の簡単な説明】
【図１】本発明に係る通信装置を用いる通信網システムの構成を示す模式図である。
【図２】本発明の第１実施の形態に係る通信装置の構成を示すブロック図である。
【図３】第１実施の形態の通信装置の動作手順を示すフローチャートである。
【図４】第１実施の形態の通信装置の動作手順を示すフローチャートである。
【図５】本発明の第２実施の形態に係る通信装置の構成を示すブロック図である。
【図６】第２実施の形態の通信装置の処理動作（転送先テーブルの登録処理）の手順を示すフローチャートである。
【図７】第２実施の形態の通信装置の処理動作（画像データの転送／記録処理）の手順を示すフローチャートである
【図８】第２実施の形態の通信装置の処理動作（画像データの転送／記録処理）の手順を示すフローチャートである
【符号の説明】
１　通信装置
２　ファクシミリ装置
３　ファクシミリ複合装置
４　複写装置
５　記録装置
６ａ，６ｂ　ファクシミリ装置
７ａ，７ｂ　ファクシミリ複合装置
１０　ＬＡＮ（通信網）
１１　主制御部
１３　記録部
１５　操作部
１７　ＲＯＭ
１８　ＲＡＭ
１８ａ　転送先テーブル
１９　画像メモリ
２０　モデム
２１　ＮＣＵ
２２　ＬＡＮインタフェース
【図１】
2004048188.tif 000003
【図２】
2004048188.tif 000004
【図３】
2004048188.tif 000005
【図４】
2004048188.tif 000006
【図５】
2004048188.tif 000007
【図６】
2004048188.tif 000008
【図７】
2004048188.tif 000009
【図８】
2004048188.tif 000010